(57)【要約】【課題】  簡単な操作により、帯状の用紙の先端をカッタ手段の入り口に対向させて設置することができるようにし、それによりラベルの交換時間を短縮し、ラベル発行処理能力を向上させる。【解決手段】  印刷媒体に印刷を行うサーマルヘッドと、前記印刷媒体を搬送するプラテンローラとからなり、前記印刷媒体を挟持する挟持部と、前記印刷媒体を切断する第一切断部と第二切断部と、を備え、前記第一切断部は前記挟持部よりも印刷媒体の搬送方向下流側に位置し、かつ、前記第二切断部よりも印刷媒体の搬送方向上流側に位置する。【選択図】図４
2020093552.tif 000002
【特許請求の範囲】
【請求項１】
印刷媒体に印刷を行うサーマルヘッドと、前記印刷媒体を搬送するプラテンローラとか
らなり、前記印刷媒体を挟持する挟持部と、
前記印刷媒体を切断する第一切断部と第二切断部と、を備え、
前記第一切断部は前記挟持部よりも印刷媒体の搬送方向下流側に位置し、
かつ、前記第二切断部よりも印刷媒体の搬送方向上流側に位置する
ことを特徴とする印刷媒体発行装置。
【請求項２】
前記第二切断部は可動刃と固定刃とを備え、
前記第一切断部により切断された後の印刷媒体の先端は前記可動刃と前記固定刃との間
に位置する
ことを特徴とする請求項１に記載の印刷媒体発行装置。
【請求項３】
本体部と前記本体部に開閉可能に取り付けられた開閉部とからなり、
前記開閉部を閉じた際に前記挟持部により前記印刷媒体の挟持を可能とし、
前記第一切断部は、前記開閉部側の端部およびまたは当該端部に対向する前記本体部側
の端部に位置する
ことを特徴とする請求項１又は２に記載の印刷媒体発行装置。
【請求項４】
前記印刷媒体の搬送指示を行う搬送指示手段を備え、
前記印刷媒体は、前記搬送指示手段により前記印刷媒体の搬送方向上流側へ搬送された後
に、下流側へ搬送される
ことを特徴とする請求項１乃至３のいずれかに記載の印刷媒体発行装置。
【請求項５】
請求項１乃至４のいずれか記載の印刷媒体発行装置を備えた貼付装置。
【発明の詳細な説明】
【技術分野】
【０００１】
本発明は、ラベル等の印刷媒体を発行する印刷媒体発行装置に関するものである。
【背景技術】
【０００２】
近年、スーパーマーケット等においては、総菜等の食料品をプラスチック等のトレイに
入れて、フィルムにより包装して販売することが行われており、そのような商品に対して
は、商品の内容量や販売価格等の情報を印刷したラベルを貼付して商品の内容を消費者に
対して表示することが行われている。
そして、そのような商品の内容量や販売価格等の情報を表示するラベルを発行するため
のラベルプリンタが知られている（特許文献１）。
【先行技術文献】
【特許文献】
【０００３】
【特許文献１】特開２００３−２１１７５６号
【発明の概要】
【発明が解決しようとする課題】
【０００４】
しかし、上記先行技術文献に見られるようなラベルプリンタにおいては、ラベルロール
の交換後にラベルを印字手段や切断手段に対して適切な位置に配置する必要があるが、特
に、切断手段の刃の間など狭い隙間にラベルを通して配置する作業は煩雑であった。
【０００５】
本発明は、上記の事情を鑑み、ラベル等の印刷媒体を発行する印刷媒体発行装置におい
て、帯状の用紙を印刷媒体発行装置に対して設置する際に、簡単な操作により、帯状の用
紙の先端をカッタ手段の入り口に正確に対向させて設置することができるようにし、それ
によりラベルの交換時間を短縮し、印刷媒体の発行処理能力を向上させることを目的とす
る。
【課題を解決するための手段】
【０００６】
上記目的を達成するために、本発明の請求項１に係る発明は、印刷媒体に印刷を行うサ
ーマルヘッドと、前記印刷媒体を搬送するプラテンローラとからなり、前記印刷媒体を挟
持する挟持部と、前記印刷媒体を切断する第一切断部と第二切断部と、を備え、前記第一
切断部は前記挟持部よりも印刷媒体の搬送方向下流側に位置し、かつ、前記第二切断部よ
りも印刷媒体の搬送方向上流側に位置することを特徴とする。
本発明の請求項２に係る発明は、前記第二切断部は可動刃と固定刃とを備え、前記第一
切断部により切断された後の印刷媒体の先端は前記可動刃と前記固定刃との間に位置する
ことを特徴とする。
本発明の請求項３に係る発明は、本体部と前記本体部に開閉可能に取り付けられた開閉
部とからなり、前記開閉部を閉じた際に前記挟持部により前記印刷媒体の挟持を可能とし
、前記第一切断部は、前記開閉部側の端部およびまたは当該端部に対向する前記本体部側
の端部に位置することを特徴とする。
本発明の請求項４に係る発明は、前記印刷媒体の搬送指示を行う搬送指示手段を備え、
前記印刷媒体は、前記搬送指示手段により前記印刷媒体の搬送方向上流側へ搬送された後
に、下流側へ搬送されることを特徴とする。
【発明の効果】
【０００７】
本発明の請求項１に係る発明により、用紙を配置する際の作業を容易にし、ラベルの交
換作業を簡単にして処理能力が向上させることができる。
本発明の請求項２に係る発明により、印刷媒体の先端をカッタ手段に対して正確に配置
させることができる。
本発明の請求項３に係る発明により、印刷媒体の切り取りの際に、印刷媒体を確実に印
刷手段に保持することができるので、切り取りの際に印刷媒体がずれるおそれがなく、カ
ッタ手段に対する位置決めをより確実に行うことができる。
本発明の請求項４に係る発明により、第一切断部により用紙を切り取った後に用紙を切
り取り部から剥離させることができ、印刷媒体が切取部に付着することを防止して発行処
理を確実に行うことができる。
【図面の簡単な説明】
【０００８】
【図１】本発明の実施形態に係る印刷媒体発行装置を有する貼付装置を備える包装装置の全体図である。
【図２】本発明の実施形態に係る印刷媒体発行装置を説明するための図であり、（ａ）は印刷媒体発行装置の斜視図であり、（ｂ）はカッタ手段を開放した状態の斜視図である。
【図３】本発明の実施形態に係る印刷媒体発行装置を説明するための図であり、印刷媒体発行装置の開閉部を開放した状態の全体斜視図である（カッタ手段は省略している。）。
【図４】本発明の実施形態に係る印刷媒体発行装置を説明するための図であり、ラベル発行装置の開閉部を開放した時の側面図である。
【図５】本発明の実施形態に係る印刷媒体発行装置を説明するための図であり、ラベル発行装置の開閉部を閉鎖した時の側面図である。
【発明を実施するための形態】
【０００９】
本発明の実施形態に係る印刷媒体発行装置について、図面を参考に説明する。
−印刷媒体発行装置を備える包装装置の構成−
本発明の実施形態に係る印刷媒体発行装置１は、例えば、図１に示す包装装置Ａに採用
されている。
包装装置Ａは、食品等の商品を入れたプラスチックトレイ等の被包装物Ｔをストレッチ
フィルム等により包装するものであり、包装された被包装物Ｔに対して、印刷媒体発行装
置１により商品の情報が印字されたラベル等の印刷媒体Ｌを貼付装置Ｂにより貼付してい
る。
【００１０】
図１に示すように、包装装置Ａは、機体ａの前方に配置されて操作者が被包装物Ｔを載
置する商品載置部ｂと、商品載置部ｂに載置された被包装物Ｔをフィルム包装手段に搬送
してフィルムにより包装し、商品載置部ｂの上方位置に配置された商品排出部ｃに排出す
る包装手段（図示はしない）と、商品排出部ｃに排出される被包装物Ｔの上面に印刷媒体
Ｌを貼付する貼付装置Ｂと、貼付装置Ｂに備えられラベル等の印刷媒体Ｌを発行する印刷
媒体発行装置１と、操作者により包装装置Ａを制御するための情報を入力したり、包装装
置Ａの状態を監視するためのタッチパネル等の入力表示手段ｅとを備えている。
【００１１】
−印刷媒体発行装置の構成−
上記印刷媒体発行装置の構成について詳細に説明する。
図１，図２（ａ）に示すように、印刷媒体発行装置１は、帯状の用紙に対して商品の情
報等を印刷する印刷手段１２と、印刷手段１２により印刷された帯状の用紙を切断して印
刷媒体Ｌを作成するカッタ手段１３とを備えている。
カッタ手段１３の前面には、印刷媒体が発行される印刷媒体発行口１３ａが設けられて
おり、印刷手段１２により印刷された帯状の用紙は印刷媒体発行口１３ａから排出された
状態で待機保持され、貼付装置Ｂの吸着パットＢ１により吸着保持された後、カッタ手段
１３により切断されラベル等の印刷媒体Ｌが形成される。
【００１２】
（カッタ手段の構成）
カッタ手段１３は、印刷手段１２の前面に支持される支持ユニット１３２と、支持ユニ
ット１３２に対して回動自在に支持されるカッタユニット１３１とからなり、カッタユニ
ット１３１内には固定刃１３１ａ及び可動刃１３１ｂが配置されているとともに、その側
面には、固定刃１３１ａ及び可動刃１３１ｂに対してオイルを供給するための供給チュー
ブ１３ｂが連結されている。
カッタユニット１３１の前面に設けられる印刷媒体発行口１３ａの下方位置には、印刷
媒体発行口１３ａから排出される用紙を支持する載置部１３ｃを備えると共に、印刷媒体
発行口１３ａの上方位置には，用紙の反り等を防止する反り防止板１３ｄが設けられてい
る。
【００１３】
カッタ手段１３の支持ユニット１３２に対するカッタユニット１３１の固定は、例えば
ユリアビス等のドライバー等の工具を必要としない固定手段（図示しない）により行われ
ており、固定手段を外すことで、図２（ｂ）に示すように、支持ユニット１３２に対して
カッタユニット１３１が上方に回動できるように構成されている。そして、カッタユニッ
ト１３１を上方に回動することで、印刷手段１２の用紙排出口１２ａを露出させることが
できる。
したがって、カッタユニット１３１の回動においては、供給チューブ１３ｂやその他カ
ッタユニット１３１を駆動するための配線等を外す必要がなく構成されているので、エラ
ー発生時やメンテナンス時等には、カッタユニット１３１を用紙の搬送経路より簡単に退
避させることできる。
【００１４】
また、本実施形態に係る印刷媒体発行装置１においては、例えばカッタユニット１３１
の駆動機構が故障して可動刃と固定刃とが接したまま制御不能となった場合などには、上
記のようにカッタユニット１３１を搬送経路より退避させて、手動により印刷媒体Ｌの発
行をすることができる。
そのために、図２（ｂ）に示すように、印刷手段１２における用紙排出口１２ａの上方
位置には故障時用手切り刃１２ｂが設けられている。
【００１５】
（印刷手段の構成）
印刷手段１２は、図３に示すように、包装装置Ａに載置支持されて内部に帯状の用紙を
巻回してなる用紙ロールＲを収納している本体部１１と、本体部１１の前面に配置されて
、用紙ロールＲから繰り出される帯状の用紙に対して商品の情報等を印刷する印刷部とか
らなり、印刷部は、その上方位置に配置される印刷本体部１２１と、印刷本体部１２１に
対してその後方部位の支持軸１２２ｃにおいて下方に回動自在に支持され用紙排出口１２
ａ側が開放される印刷開閉部１２２とから構成されている。
【００１６】
印刷開閉部１２２の支持軸１２２ｃにより支持されている側と反対側にはプラテンロー
ラ１２２ａが配置され、印刷本体部１２１にはプラテンローラ１２２ａに対向するように
サーマルヘッド１２１ａが配置されているので、印刷手段１２における用紙の搬送経路を
上下に開放することができ、用紙ロールＲから繰り出された帯状の用紙を用紙ガイド１１
ａにより印刷部に導いてサーマルヘッド１２１ａとプラテンローラ１２２ａとの間で挟持
することで用紙を搬送経路に簡単に配置することができる。
そして、印刷開閉部１２２のプラテンローラ１２２ａの下流側、更に言えば、印刷開閉
部１２２の開放側端部には、先端をのこぎり状にした切取部１２２ｂが設けられており、
図５に示すように、印刷開閉部１２２を回動し閉鎖した状態では、切取部１２２ｂの先端
がカッタ手段１３の固定刃１３１ａと可動刃１３１ｂの間に向けて配置されるように構成
されている。
【００１７】
以上のように構成されているので、例えば用紙ロールＲを交換したり、また、印刷手段
１２のメンテナンス作業を行ったりした後には、用紙ロールＲより繰り出された帯状の用
紙を、開放した印刷開閉部１２２と印刷本体部１２１との間に配置するとともに、用紙先
端の余剰部分を引っ張るなどして緊張させた状態で印刷開閉部１２２を閉鎖することで、
印刷本体部１２１のサーマルヘッド１２１ａと印刷開閉部１２２のプラテンローラ１２２
ａとにより用紙をずれなく挟持して、用紙を印刷手段１２中の搬送経路に対して適切な位
置に配置することができる。
【００１８】
そして、印刷開閉部１２２を閉鎖した後に、印刷開閉部１２２より延びる用紙の余剰部
分を切取部１２２ｂに押し当てながら下方に引っ張ることで切取部１２２ｂにより切取ら
れた用紙の先端は、カッタ手段１３の固定刃１３１ａと可動刃１３１ｂの間に向けて配置
することができる。
このとき、用紙は印刷本体部１２１と印刷開閉部１２２とにより挟持されているので、
余剰部分を切り取る際に、適切な位置に配置した用紙がずれる等のおそれがない。
また、切取部１２２ｂがカッタ手段１３の最前に配置されることで、切取部１２２ｂに
より切断されて形成される用紙の先端は印刷媒体発行装置１の他の部品等に阻害されるこ
となくカッタ手段１３の固定刃１３１ａと可動刃１３１ｂの間の直前に配置することがで
きる。
【００１９】
本実施形態の印刷媒体発行装置１は、例えば印刷開閉部１２２の近傍にバックフィード
を実施するためのバックフィードスイッチ（図示しない）を有しており、印刷開閉部１２
２を閉鎖し、印刷開閉部１２２より延びる用紙の余剰部分を切取部１２２ｂにより切断し
た後に、バックフィードスイッチを押下することで用紙を所定量バックフィードして用紙
の切取部１２２ｂに対して食込んだ用紙先端をはがすことができ、特に、用紙として台紙
を持たないライナレスラベルを使用する時などには有効である。
なお、用紙のバックフィードについては、上記において説明した用紙をセットした後だ
けではなく、例えば、印刷指示や搬送指示を受けた場合などに自動的に用紙を所定量バッ
クフィードすることで、接着面が印刷媒体発行装置１の印刷手段１２やカッタ手段１３の
各部位に軽く接着している場合であっても、用紙を初期位置に戻して印字媒体の発行処理
を確実に行うことができる。
【００２０】
以上のように、本実施形態の印刷媒体発行装置は、印刷媒体に対して印刷を施す印刷手
段がサーマルヘッドを保持する印刷本体部と印刷本体部に対して支持軸により回動自在に
支持されプラテンローラを保持している印刷開閉部とから構成されており、印刷媒体を印
刷本体部と印刷開閉部とにより挟持し、印刷手段の搬送方向下流側には印刷媒体を切断す
るためのカッタ手段（第二切断部）を備えると共に、カッタ手段（第二切断部）の搬送方
向上流側に、印刷媒体の余剰部分を切断して印刷媒体の先端をカッタ手段（第二切断部）
の搬送経路に導く切取部（第一切断部）とを備えているので、帯状の用紙を交換した後等
に、印刷開閉部を閉鎖して帯状の用紙を印刷本体部と印刷開閉部とにより構成される挟持
部で挟持することで、用紙を印刷手段のプラテンローラとサーマルヘッドとの間の搬送経
路に簡単に配置することができ、また、挟持された用紙を下方に引っ張るだけで用紙の先
端部をカッタ手段の固定刃と可動刃との間の直前に対して適切な位置となるように配置す
ることができるので、用紙を配置する際の作業を容易にし、また、各印刷部品の交換等メ
ンテナンスの作業効率が向上するとともに、印刷媒体の発行処理の時には、印刷媒体の先
端がカッタ手段をスムーズに通過することができる。
【００２１】
なお、本実施形態においては、印刷手段における印刷媒体Ｌを排出する部位に故障時用
手切り刃を設けて、カッタユニット等の故障時に手動による印刷媒体の発行処理ができる
ように構成されているが、印刷開閉部の切取部を故障用手切り刃として兼用することも可
能であり、これにより部品点数を減らして、構成を簡素化することができる。
また、本実施形態においては、印刷開閉部が印刷本体部に対して下方に開閉するように
構成されているが、印刷媒体発行装置が設置される包装装置の構成等によっては、印刷開
閉部は上方や若しくは側方に開閉するように構成されてもよく、また、切取部を印刷本体
部に設けても浴、印刷媒体を切断する際にも、下方向へ印刷媒体を引き抜くのではなく、
上方向に引き抜くことにより印刷媒体の余剰部分を切り取るように構成してもよい。
【符号の説明】
【００２２】
１        ：印刷媒体発行装置
１１      ：本体部
１１ａ    ：用紙ガイド
１２      ：印刷手段
１２ａ    ：排出口
１２ｂ    ：故障時用手切り刃
１２１    ：印刷本体部
１２１ａ  ：サーマルヘッド
１２２    ：印刷開閉部
１２２ａ  ：プラテンローラ
１２２ｂ  ：切取部
１２２ｃ  ：支持軸
１３      ：カッタ手段
１３ａ    ：印刷媒体発行口
１３ｂ    ：供給チューブ
１３ｃ    ：載置部
１３ｄ    ：防止板
１３１    ：カッタユニット
１３１ａ  ：固定刃
１３１ｂ  ：可動刃
１３２    ：支持ユニット
【図１】
2020093552.tif 000003
【図２】
2020093552.tif 000004
【図３】
2020093552.tif 000005
【図４】
2020093552.tif 000006
【図５】
2020093552.tif 000007
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
印刷媒体に印刷を行うサーマルヘッドと、
前記印刷媒体を搬送するプラテンローラを有し、前記印刷媒体を装填時に開状態、装填後は閉状態となり、前記印刷媒体を前記サーマルヘッドと前記プラテンローラとで挟持する印刷開閉部と、
前記サーマルヘッドと前記プラテンローラとで挟持される前記印刷媒体を切断する第一切断部と、可動刃と固定刃を備え装置本体に対して上方に回動自在に支持される第二切断部と、備え、
前記第一切断部は、前記印刷開閉部の閉鎖時において前記印刷開閉部の搬送方向下流側上端部に位置し、かつ、前記第二切断部よりも印刷媒体の搬送方向上流側に位置し、
前記印刷開閉部を閉鎖した後に、前記第一切断部により切断された後の印刷媒体の先端は、前記第一切断部から前記可動刃と前記固定刃の間に向けて配置されることを特徴とする印刷媒体発行装置。
【請求項２】
請求項１に記載の印刷媒体発行装置を備えた貼付装置。
【手続補正２】
【補正対象書類名】明細書
【補正対象項目名】０００６
【補正方法】変更
【補正の内容】
【０００６】
上記目的を達成するために、本発明の請求項１に係る発明は、印刷媒体発行装置において、印刷媒体に印刷を行うサーマルヘッドと、前記印刷媒体を搬送するプラテンローラを有し、前記印刷媒体を装填時に開状態、装填後は閉状態となり、前記印刷媒体を前記サーマルヘッドと前記プラテンローラとで挟持する印刷開閉部と、前記サーマルヘッドと前記プラテンローラとで挟持される前記印刷媒体を切断する第一切断部と、可動刃と固定刃を備え装置本体に対して上方に回動自在に支持される第二切断部と、備え、前記第一切断部は、前記印刷開閉部の閉鎖時において前記印刷開閉部の搬送方向下流側上端部に位置し、かつ、前記第二切断部よりも印刷媒体の搬送方向上流側に位置し、前記印刷開閉部を閉鎖した後に、前記第一切断部により切断された後の印刷媒体の先端は、前記第一切断部から前記可動刃と前記固定刃の間に向けて配置されることを特徴とする。
本発明の請求項２に係る発明は、貼付装置において、請求項１に記載の印刷媒体発行装
置を備えたことを特徴とする。
【手続補正３】
【補正対象書類名】明細書
【補正対象項目名】０００７
【補正方法】変更
【補正の内容】
【０００７】
本発明の請求項１に係る発明により、用紙を配置する際の作業を容易にし、ラベルの交換作業を簡単にして処理能力を向上させることができる。